(57)【要約】      （修正有）【課題】歯科治療の現場において、歯科用治療器具に被覆したフィルムの交換に対する労力や時間を大幅に削減することにより、フィルムが被覆された歯科用治療器具が日常的に用いられるようにし、衛生面、安全性を向上させる。【解決手段】長さ方向の少なくとも一部位における全周に、積層用フィルム１０を２層以上に被覆してフィルム積層構造１５を構成した歯科用治療器具１１。【選択図】図１
2007289572.tif 000002
【特許請求の範囲】
【請求項１】
長さ方向の少なくとも一部位における全周に、積層用フィルムを２層以上に被覆してフィルム積層構造を構成した
歯科用治療器具。
【請求項２】
長さ方向の少なくとも一部位における上記全周に、少なくとも２層からなる多層フィルムを被覆した
請求項１に記載の歯科用治療器具。
【請求項３】
上記積層用フィルムを、該積層用フィルムが被覆される部位の外周形状に応じて弾性変形、或いは、塑性変形するフィルムにより形成した
請求項１、又は、請求項２に記載の歯科用治療器具。
【請求項４】
上記積層用フィルムを、熱を付与することにより収縮する熱収縮性フィルムにより形成した
請求項１から請求項３のうちいずれか一項に記載の歯科用治療器具。
【請求項５】
上記積層用フィルムの剥離を補助する剥離補助手段を、上記積層用フィルムの各層、或いは、その近傍に具備した
請求項１から請求項４のうちいずれか一項に記載の歯科用治療器具。
【請求項６】
上記剥離補助手段を、上記積層用フィルムにおける歯科用治療器具の長さ方向の少なくとも一方の端部が、摘み上げが可能な突き出し量で上記フィルム積層構造の内層側から外層側へ進むに連れて上記積層用フィルムの層ごとに突き出した突出し部により形成した
請求項５に記載の歯科用治療器具。
【請求項７】
上記剥離補助手段を、上記積層用フィルムにおける歯科用治療器具の長さ方向の長さを有する幅細の剥離用テープにより形成し、
上記剥離用テープの長さ方向における少なくとも一方の端部に、摘み上げが可能な摘み片部を形成し、
上記剥離用テープを、上記積層用フィルムの各層の裏面から歯科用治療器具の長さ方向に沿って貼り付けた
請求項５に記載の歯科用治療器具。
【請求項８】
上記剥離補助手段を、上記積層用フィルムの各層における歯科用治療器具の長さ方向の少なくとも一方の端部において、その周方向の少なくとも一部位が上記積層用フィルムの幅方向へ摘み上げが可能に突き出した摘み片部により形成し、
上記各摘み片部を、上記積層用フィルムの層ごとに周方向へ互いにずらして形成した
請求項５に記載の歯科用治療器具。
【発明の詳細な説明】
【技術分野】
【０００１】
この発明は、例えば感染予防のために、表面にフィルムを被覆して用いられる口腔内治療器具をはじめとする歯科用治療器具に関する。
【背景技術】
【０００２】
例えば、スケーラーやタービンなどのハンドピースを用いて治療を行う場合は、水やエアを歯に吹き付けながら行われるため、その際には、口腔外へ患者の血液、唾液などが飛散してハンドピースに付着してしまい、衛生的ではなかった。
【０００３】
チップなどハンドピース先端部は、通常、ハンドピースの基部側から取り外すことができるため、患者ごとに交換したり、消毒したりすることができ、これらの部位の衛生面は、比較的、容易に確保することができる。
【０００４】
ところが、タービンは、タービンホースへ接続され、タービンホースは、歯科ユニットへと接続されているため、それぞれ取り外しに手間を要する。このため、タービンのタービンホースとのコネクタ側や、タービンホースにも飛散した血液などが付着してしまうにも関わらず、これらの部位は、減菌処理が不充分となり衛生面の問題だけでなくＨＩＶなどの感染の要因にもなりかねず、安全面でも不充分であった。
【０００５】
このような課題に対して、例えば、特許文献１に「治療用器具の汚染防止方法並びにドライヤー用アダプター及びヒートシーラー」が開示されている。
【０００６】
上記特許文献１における「ドライヤー用アダプター」は、ドライヤーに接続可能な円筒状に形成されている。上記ドライヤー用アダプターの内部には、治療用器具が差し込み可能な温風室が形成され、その温風室にドライヤーから吹き出された温風が吹き出される。
【０００７】
上記特許文献１では、治療用器具にシュリンクフィルムを被せた状態でアダプターの温風室に差し込んで熱を付与することで、シュリンクフィルムを治療用器具に密着させることができる旨の開示がされている。
【０００８】
また、治療後は、専用の刃部を有する板体を用いて治療用器具からフィルムを剥離することができる旨の開示もされている。
【０００９】
しかし、特許文献１における「ドライヤー用アダプター及びヒートシーラー」は、治療用器具に対してフィルムを被覆して治療し、被覆した状態で熱を吹き付けて装着するという上述した一連の過程を経て用いる必要がある。すなわち、患者ごとにこの一連の過程を経てフィルムを交換することは、非常に面倒であり、患者の入れ替わる短い時間を利用してフィルム交換する必要があり、しっかりと器具に対して被覆できないおそれも有する。
【００１０】
【特許文献１】特開２００５−５８５１８号公報
【発明の開示】
【発明が解決しようとする課題】
【００１１】
そこで本発明では、歯科治療の現場において、歯科用治療器具に被覆したフィルムのフィルム交換に対する労力、或いは、時間の大幅な削減を図り、惹いては、フィルムが被覆された歯科用治療器具が日常的に用いられるようになることで、歯科治療現場の衛生面、安全性を向上させることを目的とする。
【課題を解決するための手段】
【００１２】
本発明の歯科用治療器具は、その長さ方向の少なくとも一部位における全周に、積層用フィルムを２層以上に被覆してフィルム積層構造を構成することを特徴とする。
【００１３】
具体的に、本発明の歯科用治療器具は、例えば、タービン、エンジン、超音波スケーラのコネクタ部、さらには、材質的に高温蒸気減菌ができない光照射器のライトガイドなどの口腔内治療器具、或いはそれに関連する周辺器具を含み、これら歯科用治療器具の長さ方向の少なくとも一部位における全周に、積層用フィルムを２層以上に被覆した構成を採る。
【００１４】
本発明の歯科用治療器具は、長さ方向の少なくとも一部位における全周に、積層用フィルムを一枚ずつ積層したものを被覆するに限らず、予め、多層に形成した多層フィルムを被覆してもよい。
【００１５】
上記積層用フィルムは、該積層用フィルムが被覆される部位の外周形状に応じて弾性変形、或いは、塑性変形するフィルムにより形成することができる。
【００１６】
上記積層用フィルムを、塑性変形する塑性フィルムにより形成した場合は、熱を付与することにより収縮する熱収縮フィルム（シュリンクフィルム）やストレッチフィルムを用いることが好ましい。
【００１７】
上記熱収縮フィルムとしては、例えば、ポリプロピレン、塩化ビニル、ポリエチレン、ポリプロピレン、ポリスチレン、或いは、ポリエステルなどのプラスチックフィルムを用いることができる。
【００１８】
上記積層用フィルムを、弾性変形する弾性フィルムにより形成した場合は、例えば、ストレッチフィルムやラップフィルムを用いることができ、さらに、上記ストレッチフィルムとしては、ポリオレフィン、ＥＶＡ、或いは、塩化ビニルを用いることができる。
【００１９】
また、上述した積層用フィルムには、自己粘着性を高めるべく、石油樹脂やロジンのような粘着剤を混入してもよい。
【００２０】
さらにまた、上記積層用フィルムには、その表面に無機系、或いは、有機系の抗菌剤を塗付したものも含む。
【００２１】
上記積層用フィルムは、上記フィルム層の剥離を補助する剥離補助手段を、上記各フィルム層、或いは、その近傍に具備することが好ましい。
【００２２】
上記剥離補助手段は、上記積層用フィルムにおける歯科用治療器具の長さ方向の少なくとも一方の端部が、摘み上げが可能な突き出し量で上記フィルム積層構造の内層側から外層側へ進むに連れて上記積層用フィルムの層ごとに突き出した突出し部により形成することができる。
【００２３】
また、上記剥離補助手段は、上記積層用フィルムにおける歯科用治療器具の長さ方向の長さを有する幅細の剥離用テープにより形成し、上記剥離用テープの長さ方向における少なくとも一方の端部に、摘み上げが可能な摘み片部を形成し、上記剥離用テープを、上記積層用フィルムの各層の裏面から歯科用治療器具の長さ方向に沿って貼り付けて形成することができる。
【００２４】
さらにまた、上記剥離補助手段は、上記積層用フィルムの各層における歯科用治療器具の長さ方向の少なくとも一方の端部において、その周方向の少なくとも一部位が上記積層用フィルムの幅方向へ摘み上げが可能に突き出した摘み片部により形成し、上記各摘み片部を、上記積層用フィルムの層ごとに周方向へ互いにずらして形成することができる。
【００２５】
上記剥離補助手段は、上述した手段に限定せず、例えば、ミシン目で形成するなど、他の手段で形成してもよい。また、上記剥離補助手段は、これらの手段を組み合わせてフィルム層、或いは、その近傍に複数、形成してもよい。
【発明の効果】
【００２６】
請求項１における歯科用治療器具によれば、積層用フィルムの層を取り換える際には、歯科用治療器具自体に形成したフィルム積層構造の最も外側の積層用フィルムの層を剥離するだけでよい。この積層用フィルムの最も外側の層を剥離すれば、その内側に有していた新たなフィルム層が最も外側で被覆した状態となるため、その状態のまま、すぐに次の治療に用いることができる。
【００２７】
すなわち、例えば、歯科用治療器具自体から積層用フィルムを剥離した後に、改めて歯科用治療器具自体の外周に対して、新たなフィルムに熱を付与して被覆するといった手間を要しない。
【００２８】
従って、患者ごとに、或いは、治療の度に、フィルムをいちいち取り換える労力や時間を省くことができる。
【００２９】
その他にも、本発明の歯科用治療器具を用いることにより、緊急時にも患者を待たせることがなくすぐに対応することができ、さらに、患者が入れ代わる少ない時間を利用して、いちいち歯科用治療器具自体に対してフィルムを被覆する必要がないため、常に、見栄えのよい状態で用いることができる。
【００３０】
請求項２における歯科用治療器具によれば、長さ方向の少なくとも一部位における全周に対して、予め、多層に形成した多層フィルムをまとめて被覆した場合、一枚ずつ積層させる労力を省くことができる。
【００３１】
請求項３における歯科用治療器具によれば、積層用フィルムを、被覆部位の外周形状に応じて弾性変形する弾性フィルムにより形成することにより、この弾性フィルムは、歯科用治療器具自体の形状、サイズに応じて弾性変形させることができるため、歯科用治療器具に対して、略密着した状態で被覆させることができる。
【００３２】
また、積層用フィルムが弾性フィルムの場合、ドライヤなどの熱源を別途、用いることなしに歯科用治療器具に被覆させることができるため、熱収縮による斑が生じることなしに被覆させることができる。さらに、治療現場において熱源を保管しておく場所を要しない。
【００３３】
しかも、弾性フィルムは、ゴムシートなどと比較して薄肉であるため、フィルムを歯科用治療器具自体に巻き付けた状態で輪ゴムで保持した場合や、ゴムシートを被覆した場合と比較して、複数枚、積層させても嵩張らず、歯科用治療器具の操作性に支障を来たすことがない。
【００３４】
また、歯科用治療器具によれば、積層用フィルムを、被覆部位の外周形状に応じて塑性変形する塑性フィルムにより形成することにより、塑性フィルムを被覆部位の外周形状に応じて塑性変形させれば、被覆部位の外周形状に対して密着した被覆状態を保たせることができる。
【００３５】
請求項４における歯科用治療器具によれば、積層用フィルムを熱収縮性フィルムにより形成することにより、歯科用治療器具によってそのサイズ、形状などが異なるが、熱を付与するだけで対象となる歯科用治療器具自体の形状に応じて収縮し、略密着した状態で被覆させることができる。
【００３６】
さらに、本発明の歯科用治療器具が例えば、タービンやスケーラーなどのように軸方向において凹凸形状、曲率を有する外周形状であっても、積層用フィルムが略密着した状態で被覆させた構成であるため、治療の際の扱いに支障を来たしてしまうことない。
【００３７】
請求項５における歯科用治療器具によれば、積層用フィルムに剥離補助手段を具備することにより、例えば、手袋を装着したままであっても、容易に、且つ、確実に積層用フィルムを層ごとに剥離することができる。
【００３８】
また、積層用フィルムに剥離補助手段を形成することにより、積層用フィルムを層ごとに剥離するための専用の部材を治療現場において具備しておく必要がないため、場所を要さず、また、紛失してしまうおそれもない。
【００３９】
請求項６における積層用フィルムによれば、上記剥離補助手段を突出し部により形成することにより、積層用フィルムの層どうしが互いに略密着している状態であっても、確実に１枚ずつ積層用フィルムを剥離することができる。
【００４０】
また、上記突出し部は、それを形成するために積層用フィルムを形成する際に、追加工を加えることなしに低コストで形成できる。
【００４１】
請求項７における積層用フィルムによれば、特に、上記剥離補助手段を剥離用テープにより形成することにより、剥離用テープにおける摘み片部を摘み上げるだけで剥離を開始することができるため、容易に積層用フィルムを層ごとに剥離できる。しかも、積層用フィルム自体が強度を有する場合であっても、剥離用テープに沿って見栄えよく剥離することができる。
【００４２】
請求項８における積層用フィルムによれば、上記剥離補助手段を、請求項７に記載の摘み片部のように形成することにより、積層用フィルムを１層ずつ確実、且つ、容易に剥離することができる。さらに、上記剥離補助手段を剥離用テープにより形成する場合と比較して低コストで構成することができるという効果を有する。
【発明を実施するための最良の形態】
【００４３】
この発明の一実施形態を、以下図面を用いて説明する。
【実施例１】
【００４４】
図１は、歯科医師がハンドピース型のタービン１１を把持している様子を示す。図１に示すタービン１１、及び、タービン１１が接続されるタービンホース１２には、その外周に実施例１におけるフィルム１０が被覆されている。
【００４５】
また、根管清掃、歯面清掃などの歯科治療中においては、タービン１１からエアが吹き出されることにより、患者の血液、唾液が雑菌とともに口腔外へ飛散して、図１に示したように、手袋、タービン１１、及び、タービンホース１２などへ付着してしまう。  
なお、タービンホース１２の他端部は、コンプレッサなどを具備するユニットへと接続されている（図示せず）。
【００４６】
また、図２に示したように、上記タービン１１は、その軸方向の基部側に有する柄部１３と、該柄部１３に対して着脱可能な柄先部１４とに大別することができる。  
なお、図２（ａ）は、タービン１１、及び、タービンホース１２を、その内部構成を省略して示すとともに、要部を拡大して示した断面図である。
【００４７】
上記柄先部１４は、柄部１３よりも細径に形成され、への字形に屈曲したシャンク部１４ａと、該シャンク部１４ａの先端側に有するタービンヘッド１４ｂから構成されている。シャンク部１４ａの基部側は、柄部１３の径と同じ径になるよう末広がり状に形成している。
【００４８】
ここで、図１に示したように、以下では、タービン１１、及び、タービンホース１２の軸方向のうち、タービンヘッド１４ｂ側をＸ方向に設定し、タービンホース１２におけるコンプレッサへの接続側をＹ方向に設定する。
【００４９】
一方、フィルム１０としては、厚みが１５μｍｍ程度の例えば、ポリプロピレン、或いは、塩化ビニルなどの、適宜シュリンクフィルム（熱収縮フィルム）を用いている。上記フィルム１０は、上記タービン１１における柄部１３、及び、タービンホース１２における上記タービン１１との接続部の近傍部位に被覆されている。
【００５０】
上記タービン１１、及び、タービンホース１２（以下、歯科用治療器具１１，１２という）には、図２（ａ），（ｂ）で示したように、その外周にフィルム１０を複数枚、例えば１０枚、被覆して積層させたフィルム積層構造を構成するフィルム積層体１５を構成している。すなわち、フィルム１０は、歯科用治療器具１１，１２の側へ密着した状態で上記フィルム積層体１５の各層を形成している。  
なお、図２（ｂ）は、要部を拡大して示した図２（ａ）のＡ−Ａ端面図である。
【００５１】
また、フィルム積層体１５の各層を形成する全てのフィルム１０には、該フィルム積層体１５の幅方向（ＸＹ方向）にかけて、ミシン目１６が形成されている。
【００５２】
以下では、上述したようなフィルム積層体１５を歯科用治療器具１１，１２に形成する手順を、図３を用いて説明する。  
フィルム１０を、タービン１１に差し込み可能な内径を有する円筒形に形成する。このようなフィルム１０をタービンヘッド１４ｂ側から差し込んで、図３（ａ）に示したように、フィルム１０を、歯科用治療器具１１，１２の軸方向におけるフィルム１０を被覆しようとする部位の外周側に配する。
【００５３】
この状態で、ドライヤＡなどの適宜の熱源を用いて熱風を吹き付けることでフィルム１０が収縮し、図３（ｂ）に示したように歯科用治療器具１１，１２の側へ略密着させることができる。
【００５４】
さらに、図３（ｃ）に示したように、円筒状にした２枚目のフィルム１０を、上記図３（ａ）と同様に歯科用治療器具１１，１２の外周側に配し、そのフィルム１０に対して熱風を付与することにより、歯科用治療器具１１，１２に被覆した状態の１枚目のフィルム１０に密着させた状態で被覆することができ、フィルム積層体１５を構成する２層目を構成することができる。
【００５５】
本実施例１では、このような工程を、フィルム１０を積層する枚数分、すなわち、１０枚分、繰り返すことで、図３（ｄ）に示したように歯科用治療器具１１，１２の外周側に、最外層のフィルムが無端状のフィルム積層体１５を構成することができる。
【００５６】
なお、フィルム１０を積層する枚数は、勿論、１０枚に限定せず、フィルム積層体１５の厚みがタービン１１の把持し易さ、扱い易さに支障を来たすことがない範囲で、フィルム１０の厚みなどに応じて適宜、設定することができる。
【００５７】
以上により、歯科医は、歯科用治療器具１１，１２の外周側に形成したフィルム積層体１５を把持して、図１に示したように歯科治療を行うことができるが、このとき、フィルム積層体１５における各層のフィルム１０は、歯科用治療器具１１，１２の側へ密着しているため、フィルムを被覆していないときの感覚で歯科用治療器具１１，１２を扱うことができる。
【００５８】
フィルム積層体１５における各層のフィルム１０には、上述したようにミシン目１６が形成されている。このため、治療後は、フィルム積層体１５のうち、最も外側に有する最外層のフィルム１０に有するミシン目１６に沿って切断することで、治療中に飛散した血液などが付着して汚れた最外層のフィルム１０を、手袋を装着した状態であっても容易に剥離することができる。
【００５９】
ちなみに、フィルム積層体を装着していないタービン１１の柄先部１４については、柄部１３から取り外することができるため、取り外してアルコールなどによって消毒したり、消毒しておいた別のものと取り換えたりすることで衛生面を確保することができる。
【００６０】
また、フィルム積層体１５は、図４（ａ）に示したように汚れた最外層のフィルム１０ｘを剥離すれば、最外層のフィルム１０ｘによって被覆されていたために全く汚れていない内側層のフィルム１０ｙが最外層に表れることになる。
【００６１】
このため、図４（ｂ）に示したように、歯科用治療器具１１，１２は、汚れたフィルム１０ｘを剥離するだけで直ぐに、次の患者に用いることができる状態になる。
【００６２】
このため、一日の治療時間などのうち、例えば、午前、午後の治療が開始する前、或いは、休憩時間などの区切りのよい時間を利用して歯科用治療器具１１，１２に対して一度、フィルム積層体１５を形成しておけば、患者ごとに、或いは、治療の度に、フィルム１０をいちいち取り換える労力や時間を省くことができ、連続して治療することができる。
【００６３】
その他にも、緊急時にも患者を待たせることがなくすぐに対応することができる。さらに、患者が入れ代わる少ない時間を利用して歯科用治療器具１１，１２にフィルム１０を被覆する必要がないため、歯科用治療器具１１，１２に被覆する精度に斑が生じず、見栄えよく歯科用治療器具１１，１２の扱いに支障を来たすことがない。
【００６４】
また、院内感染に対しての関心が高いにも関わらず、治療用器具に被覆する既存のフィルムが普及しない大きな要因となっていた、「煩わしさ」を、本実施例のフィルム１０は、大幅に改善できるため、広く普及して院内感染の予防に貢献できることが期待できる。
【００６５】
また、本実施例のように、フィルム積層体１５は、タービン１１における例えば、タービンヘッド１４ｂ側なども含めた全ての部位をも含めて形成する必要がなく、特に歯科用治療器具１１，１２における容易に取り換えることができない部位や、物理的に消毒が困難な形状を有する部位にのみ形成することができる。従って、衛生面を向上することができるのは勿論、剥離後のフィルム１０の廃棄量を抑制できるるため、環境に優しく、コストもか低減できる。
【００６６】
以下では、他の実施例におけるフィルムについて説明する。  
但し、上述した実施例１におけるフィルム１０、歯科用治療器具１１，１２と同様の構成については、同一の符号を付して、その説明を省略する。
【実施例２】
【００６７】
フィルム積層体には、フィルム１０の剥離を補助するフィルム剥離補助手段として、上述したミシン目１６を形成するに限らず、ミシン目１６とともに、或いは、ミシン目１６以外の他の剥離補助手段を具備していもよい。
【００６８】
実施例２におけるフィルム積層体２５においては、図５に示したように構成している。  
なお、図５は、フィルム積層体２５のＸ方向側の端部２５ａを一部拡大して示した正面図を示す。
【００６９】
具体的に、実施例２におけるフィルム積層体２５は、各層のフィルム１０の例えば、Ｘ方向の端部２５ａにおける全周を、各層の半径方向の外側の層になる程、徐々にＸ方向側へ突き出す突き出し量で各層の層間をずらした突出し部２１を形成することができる。
【００７０】
上記突出し部２１における上記突き出し量は、指先で係合できる程度の幅があればよく、目安として１ｍｍ程度あればよい。
【００７１】
これにより、各層のフィルム１０のうち、最外層のフィルム１０ｘが最も突き出しているため、最外層のフィルム１０ｘの突出し部２１のみを指先で容易に係合させることができる。このように、最外層のフィルム１０ｘは、一度、指先で摘み上げれば、上述したようにミシン目１６に沿って容易に切断することができる。
【実施例３】
【００７２】
また、実施例３のフィルム積層体３５のように、剥離補助手段として、図６（ａ）に示したような各層のフィルム３０に摘み片３１を形成することができる。  
図６（ａ）は、フィルム積層体３５のＸ方向側の端部の正面図を示す。
【００７３】
上記摘み片３１は、フィルム積層体３５のＸ方向側の端部３５ａにおいて、各層のフィルム３０の周方向の１部位がＸ方向へ平面視半円弧状に突き出した形態をしている。
【００７４】
上記摘み片３１は、指先で摘み上げが可能な程度に、目安として１ｍｍ程度の突き出し量により形成している。
【００７５】
さらに、各層のフィルム３０における上記摘み片３１は、各層ごとに周方向へ摘み片３１の略幅分だけ徐々にズラして形成している。  
また、図示しないが実施例３におけるフィルム積層体３５の各層のフィルム３０は、摘み片３１を摘み上げてそのまま軸方向（ＸＹ方向）に沿って切断できるが、例えば、摘み片３１の縁部から幅方向（ＸＹ方向）へ伸びるミシン目１６を形成してフィルム３０を切断し易く形成するもよい。
【００７６】
このように、フィルム積層体３５における各層のフィルム３０に摘み片３１を具備して形成することにより、摘み片３１を摘み上げるに従ってフィルムを１枚ずつ容易に切断できる。さらに、実施例２の突出し部２１のように、各層のＸ方向側端部２５ａをＸ方向へズラして形成することがなく、端部を略揃えて形成することができる。  
このため、フィルム積層体３５は、歯科用治療器具１１，１２の軸方向（ＸＹ方向）の所望の部位に見栄えよく形成することができる。
【実施例４】
【００７７】
フィルム積層体４５は、上記構成に限らず、例えば、図６（ｂ）に示したように、Ｘ方向側の端部４５ａにおいて、周方向の１部位を切り欠いた切り欠き部４１であってもよい。この構成の場合も、切り欠き部４１の幅ごとに各層のフィルム４０に形成した上記切り欠き部４１を周方向にずらしてフィルム４０を被覆している。
【実施例５】
【００７８】
また、実施例５のように剥離補助手段は、切断用テープ５１により形成してもよい。
【００７９】
上記切断用テープ５１は、図６（ｃ）に示したように、その長さ方向の一端部に、摘み上げが可能に突き出した摘み片５２を具備している。
【００８０】
上記切断用テープ５１は、その長さ方向における、上記摘み片５２を除いた部位を、フィルム積層体５５の各層のフィルム５０の周方向の１部位に、軸方向（ＸＹ方向）に沿って裏面から貼り付けている。
【００８１】
これにより、摘み片５２を把持して切断用テープ５１を摘み上げるに従って、フィルム積層体５５の最外層のフィルム５０を切断して開封することができる。
【実施例６】
【００８２】
また、実施例６では、例えば、実施例１で説明したフィルム積層体１５の形成方法とは異なる他の形成方法について説明する。  
さらに詳しくは、フィルムにシュリンクフィルムを用いる場合において、上述したフィルム積層体２５，３５，４５，５５のように、フィルムにおける、熱により収縮してしまうことを防止したい部位を有するときに有効なフィルム積層体の形成方法について説明する。
【００８３】
具体的に、本実施例では、通気性、及び、熱伝導性の低い素材で形成した布片６１Ａ，６１Ｂを２つ具備し、いずれの布片６１Ａ，６１Ｂにも、その長さ方向の一方の端部に一対の面ファスナ６２ａ，６２ｂにおける一方の面ファスナ６２ａを縫着するとともに、他方の端部に他方の面ファスナ６２ｂを縫着している。
【００８４】
このような２つの布片６１Ａ，６１Ｂにおける一方の布片６１Ａは、歯科用治療器具１１，１２の外周に配したフィルム１０ごと、そのＸ方向側の端部１０ａに巻き付けるとともに、他方の布片６１Ｂは、歯科用治療器具１１，１２の外周に配したフィルム１０ごと、そのＹ方向側の端部１０ｂに巻き付けている。これら布片６１Ａ，６１Ｂは、面ファスナ６２ａ，６２ｂで固定することにより歯科用治療器具１１，１２に取り付けられている。
【００８５】
この状態で図７（ｂ）に示したように、フィルム１０に対して熱を付与した場合、フィルム１０の幅方向（ＸＹ方向）の両端部、すなわち、布片６１Ａ，６１Ｂが巻き付けられた部位を除いた部位を、歯科用治療器具１１，１２側へと収縮させることができる。
【００８６】
これに対して、フィルム１０の幅方向（ＸＹ方向）の両端部１０ａ，１０ｂ、すなわち、布片６１Ａ，６１Ｂを巻き付けた部位には、熱が直接的に付与されないため、熱に対しての収縮を格段に抑制することができる。このようにして、フィルム積層体を形成すれば、フィルム積層体は、フィルム１０のＸ方向の端部１０ａに、例えば、上述したように摘み片３１などを形成した場合であっても、これら摘み片３１が熱により弛緩したり、収縮したりしてしまうことがなく、剥離補助手段として機能させることができる形態に保つことができる。
【００８７】
勿論、布片６１Ａ，６１Ｂは、上述した形態に限らず、布片は、例えば、剥離補助手段に用いたフィルムの幅方向（ＸＹ方向）に沿って実施例５の切断用テープ５１を覆うように配して熱から保護する構成であってもよい。
【実施例７】
【００８８】
その他にも、フィルム積層体は、本実施例のように形成することができる。
【００８９】
具体的に、まず、図８（ａ）に示したように、上述と同様に円筒状にしたフィルム１０を歯科用治療器具１１，１２の外周側に配して、フィルム１０の例えば、Ｙ方向側の端部１０ｂにドライヤＡで熱を付与し、該１端部側１０ｂのみを収縮させる。これにより、フィルム１０のＹ方向側の端部１０ｂがタービンホース１２に密着する。ちなみに、フィルム１０のＸ方向側の端部１０ａは、熱を付与していないため、柄部１３に密着しないで開口した状態のままである。
【００９０】
続いて、図８（ｂ）に示したようにフィルムのＸ方向側の端部１０ａにおいて開口するフィルム１０内へ細径に形成した吸気ノズル７１を差し込む。
【００９１】
なお、吸気ノズル７１は、チューブ７２を介して公知の吸引機構で構成されるバキューム装置に接続されている（図示せず）。
【００９２】
このバキューム装置を稼動させると、吸気ノズル７１を通じてエアの吸引が開始され、これにより、図８（ｃ）に示したようにフィルム１０内の空気圧が減圧するため、フィルム１０は、歯科用治療器具１１，１２に略密着した状態まで収縮する。この状態で、図８（ｄ）に示したように吸気ノズル７１をフィルム１０から抜き取りながらＹ方向側の端部１０ｂにドライヤＡで熱を付与することにより、フィルム１０を歯科用治療器具１１，１２に略密着した状態で被覆させることができる。
【００９３】
本実施例のように歯科用治療器具１１，１２に対してフィルム１０の被覆を繰り返してフィルム積層体を形成すれば、フィルム１０における熱を付与する部位を大幅に少なくすることができるため、熱によりフィルム１０がその幅方向（ＸＹ方向）などに不用意に収縮してしまうことを回避することができる。さらに、フィルムを歯科用治療器具１１，１２から剥離する場合も、容易に取り外すことができる。
【実施例８】
【００９４】
フィルムは、上述したフィルム１０，３０，４０，５０のように熱収縮性フィルムを用いるに限らず、実施例８で示すストレッチフィルムを用いることもできる。
【００９５】
すなわち、本実施例で採用するフィルムは、被覆する対象物の形状に応じた弾性変形が可能な弾性を有するため、歯科用治療器具１１，１２に対して略密着した状態で被覆させることができるストレッチフィルムであり、このようなフィルムを用いて歯科用治療器具１１，１２に対してフィルム積層体を形成する手順の一例を説明する。  
フィルム積層体を、例えば、１０層で形成することを想定して、フィルム８０は、歯科用治療器具１１，１２の外周に約１０周分の巻き付けが可能な長さを有して形成している
また、図９に示したように、フィルム８０は、その幅方向の例えば、Ｘ方向側の端部８０ａに切り欠き部８１を形成している。切り欠き部８１は、フィルム８０の長手方向にかけて歯科用治療器具１１，１２の略１周分に相当する長さＷごとに形成している。
【００９６】
上記構成を採るフィルム８０の歯科用治療器具１１，１２に対する装着は、まず、該フィルム８０の長手方向の１端側を歯科用治療器具１１，１２に密着させる。その状態から図９に示したように、ストレッチフィルムに長手方向のテンションを加えて延伸させた状態で歯科用治療器具１１，１２に巻きつけていくことにより、或いは、歯科用治療器具１１，１２自体を軸回りに回転させることにより、渦巻き状に密着するフィルム積層体８５を形成することができる。
【００９７】
上述したように、テンションを加えた状態で巻き付けることで、歯科用治療器具１１，１２がその軸方向において外周形状が変化している場合であっても、フィルム８０は、その形状に応じて弾性変形するため、歯科用治療器具１１，１２に対して弛緩しない状態で密着させることができる。
【００９８】
治療後は、最外層の汚れたフィルム８０のみを、そのフィルム８０に対応する最外層に有する切り欠き部８１を切り欠くことによって切断すれば、新たなフィルム８０が最外層に表れるため、次の治療に備えることができる。
【００９９】
このように、フィルムの材質、特性に応じた形成方法でフィルム積層体を形成することが好ましいが、フィルム積層体は、例えば、上記ストレッチフィルムを円筒形に形成し、１枚づつ弾性変形させることで歯科用治療器具１１，１２に対して密着させて形成するなど、上述した形成方法に限定しない。
【０１００】
また、本実施例の歯科用治療器具１１，１２は、上述したようにフィルムを１枚ずつ、或いは、一層ごとに歯科用治療器具１１，１２自体に積層してフィルム積層構造を構成するに限らず、例えば、歯科用治療器具１１，１２自体の長さ方向の少なくとも一部位における全周に対して、予め２層以上からなる多層フィルムを、まとめて被覆した構成であってもよい。
【０１０１】
例えば、上述した実施例と同様に温風を付与したり、或いは、湯に浸すなどして熱収縮さることで、多層のまま、まとめて歯科用治療器具１１，１２自体に密着した状態で被覆することができる。
【０１０２】
このようにすれば、一枚ずつ被覆する場合と比較してフィィルム積層構造を容易に構成することができるというメリットを有する。使用時には、１枚ずつ剥がして用いることができる。
【０１０３】
これら外周に、上述した実施例のように様々なフィルム積層体１５，２５，３５，４５，５５，８５を有する形態で構成することができる。
【０１０４】
また、上述の実施形態と、この発明の構成との対応において、この実施形態の
フィルム積層体１５，２５，３５，４５，５５，８５は、この発明のフィルム積層構造（被覆して積層した状態の積層用フィルム）に対応し、以下同様に、
フィルム１０，３０，４０，５０，８０は、積層フィルムに対応し、
ミシン目１６は、剥離補助手段に対応するも、
この発明は、上述の実施形態の構成のみに限定されるものではなく、上述したように多くの実施の形態を得ることができる。
【図面の簡単な説明】
【０１０５】
【図１】実施例１のフィルム積層体を装着した歯科用治療器具の使用状態を示す説明図。
【図２】実施例１のフィルム積層体の説明図。
【図３】フィルム積層体の形成方法を示す説明図。
【図４】実施例１のフィルム積層体の説明図。
【図５】実施例２のフィルム積層体の説明図。
【図６】実施例３、実施例４、及び、実施例５のフィルム積層体の説明図。
【図７】フィルム積層体の形成方法を示す説明図。
【図８】フィルム積層体の他の形成方法を示す説明図。
【図９】実施例８のフィルム積層体の説明図。
【符号の説明】
【０１０６】
１０，３０，４０，５０，８０…フィルム
１１…タービン
１２…タービンホース
１５，２５，３５，４５，５５，８５…フィルム積層体
１６…ミシン目
２１…突出し部
３１…摘み片
５１…切断用テープ
４１，８１…切り欠き部
【図１】
2007289572.tif 000003
【図２】
2007289572.tif 000004
【図３】
2007289572.tif 000005
【図４】
2007289572.tif 000006
【図５】
2007289572.tif 000007
【図６】
2007289572.tif 000008
【図７】
2007289572.tif 000009
【図８】
2007289572.tif 000010
【図９】
2007289572.tif 000011